(57)【特許請求の範囲】
【請求項１】
ケースと、
前記ケースに収納され、少なくとも時刻を表示可能な一体の表示部と、
前記ケースに収納されているアンテナ体と、
を含み、
前記アンテナ体は、
前記一体の表示部に垂直な方向から見たときに、
前記一体の表示部と重なる第１領域と、前記一体の表示部とは重ならない第２領域及び第３領域と、を含み、
且つ、前記第１領域は、前記第２領域及び前記第３領域の間に位置し、
前記一体の表示部は、
前記一体の表示部に垂直な方向から見たときに、
前記アンテナ体と重なる第１表示領域と、前記アンテナ体とは重ならない第２表示領域及び第３表示領域と、を含み、
且つ、前記第１表示領域は、前記第２表示領域及び前記第３表示領域の間に位置し、
前記一体の表示部に垂直な方向から見たときに、前記ケースと前記ケースに取り付けられ利用者に装着可能なベルトとが並ぶ方向と直交する方向を第１の方向、及び、前記第１の方向と直交する方向を第２の方向、
前記一体の表示部の前記第１の方向に沿った長さを第１の幅、
前記一体の表示部の前記第２の方向に沿った長さを第２の幅、
前記アンテナ体の前記第１の方向に沿った長さを第３の幅、
前記アンテナ体の前記第２の方向に沿った長さを第４の幅としたとき、
前記第１の幅は前記第２の幅以上、且つ、前記第４の幅は前記第３の幅以上であり、
前記第２領域及び前記第３領域は、前記第２の方向に沿って配置され、
前記第２表示領域及び前記第３表示領域は、前記第１の方向に沿って配置されている、
ことを特徴とする電子時計。
【請求項２】
請求項１において、
前記アンテナ体は、位置情報衛星からの電波を受信し、
前記第３の幅及び前記第４の幅のうち少なくとも何れかは、前記位置情報衛星からの電波の波長に基づいて定められる、
ことを特徴とする、電子時計。
【請求項３】
請求項１又は２において、
前記ケースに収納され、前記一体の表示部を制御する制御回路が設けられている基板を含み、
前記基板は、前記一体の表示部と前記アンテナ体との間にある、
ことを特徴とする、電子時計。
【請求項４】
請求項３において、
前記アンテナ体は、
前記一体の表示部に垂直な方向から見たときに、
前記基板と重なる第４領域と、前記基板とは重ならない第５領域及び第６領域と、を含み、
且つ、前記第４領域は、前記第５領域及び前記第６領域の間に位置する、
ことを特徴とする、電子時計。
【請求項５】
請求項１乃至４のいずれか一項において、
前記制御回路及び前記アンテナ体に給電するための二次電池が収納されている電池収納部と、
前記ケースの一方の開口を塞ぐカバーガラスと、
前記ケースの前記一方の開口とは反対側の他方の開口を塞ぐ裏蓋と、
を含み、
前記アンテナ体は、前記一体の表示部と前記裏蓋との間にあり、
前記電池収納部は、前記アンテナ体と前記裏蓋との間にある、
ことを特徴とする、電子時計。
【発明の詳細な説明】
【技術分野】
【０００１】
本発明は、電子時計に関する。
【背景技術】
【０００２】
アンテナを備えたアンテナ内蔵式電子時計が知られている。このアンテナ内蔵式電子時計は、当該アンテナによりＧＰＳ（Global Positioning System）衛星からの電波を受信して正確な時刻表示を行うことが可能であり、外装ケースと、外装ケースに収納されたアンテナと、外装ケースに収容された時刻を表示可能な表示部とを備える。
特許文献１には、表示部を収納する本体部から張り出した部分にアンテナを収容したアンテナ内蔵式電子時計が開示されている。当該アンテナ内蔵式電子時計は、平面視して表示部とは重ならない位置にアンテナが設けられているので、良好な受信性能を得ることができる。
【先行技術文献】
【特許文献】
【０００３】
【特許文献１】米国特許公報ＵＳ２００９／００５９７３０  Ａ１
【発明の概要】
【発明が解決しようとする課題】
【０００４】
しかし、平面視して表示部と重ならない位置にアンテナを設ける場合、外装ケースは、アンテナを収容する部分が、本体部から張り出した形状となる。この場合、アンテナ内蔵式電子時計が大型化し、デザイン性が低下する。
一方、平面視して表示部と重なる位置にアンテナ体を設ける場合、ＧＰＳ衛星からの電波が表示部に遮られ、アンテナが十分な受信性能を確保できなくなるという問題がある。
【０００５】
本発明は上述した事情を鑑みてなされたものであり、その目的の一つは、装置の大きさやデザイン性に配慮しつつ、アンテナの受信性能を確保したアンテナ内蔵式電子時計を提供することを解決課題とする。
【課題を解決するための手段】
【０００６】
以上の課題を解決するため、本発明に係る電子時計は、ケースと、前記ケースに収納され、少なくとも時刻を表示可能な一体の表示部と、前記ケースに収納されているアンテナ体と、を含み、前記アンテナ体は、前記一体の表示部に垂直な方向から見たときに、前記一体の表示部と重なる第１領域と、前記一体の表示部とは重ならない第２領域及び第３領域と、を含み、且つ、前記第１領域は、前記第２領域及び前記第３領域の間に位置し、前記一体の表示部は、前記一体の表示部に垂直な方向から見たときに、前記アンテナ体と重なる第１表示領域と、前記アンテナ体とは重ならない第２表示領域及び第３表示領域と、を含み、且つ、前記第１表示領域は、前記第２表示領域及び前記第３表示領域の間に位置し、前記一体の表示部に垂直な方向から見たときに、前記ケースと前記ケースに取り付けられ利用者に装着可能なベルトとが並ぶ方向と直交する方向を第１の方向、及び、前記第１の方向と直交する方向を第２の方向、前記一体の表示部の前記第１の方向に沿った長さを第１の幅、前記一体の表示部の前記第２の方向に沿った長さを第２の幅、前記アンテナ体の前記第１の方向に沿った長さを第３の幅、前記アンテナ体の前記第２の方向に沿った長さを第４の幅としたとき、前記第１の幅は前記第２の幅以上、且つ、前記第４の幅は前記第３の幅以上であり、前記第２領域及び前記第３領域は、前記第２の方向に沿って配置され、前記第２表示領域及び前記第３表示領域は、前記第１の方向に沿って配置されている、ことを特徴とする。
【０００７】
この発明によれば、アンテナ体は、一体の表示部に垂直な方向から見て一体の表示部とは重ならない第２領域及び第３領域を有する。従って、アンテナ体は、表示側からの電波を第２領域及び第３領域で受信することができるため、アンテナ体の受信性能を十分に確保することが可能となる。
また、この発明によれば、アンテナ体が一体の表示部と重なる位置に設けられるため、アンテナ体が一体の表示部と重ならない位置に設けられる場合（すなわち、外装ケースが、アンテナを収容するための、張り出した形状を有する場合）と比べて、電子時計を小型化し、デザイン性の低下を抑止することができる。
このように、この発明によれば、デザイン性を低下させることなく、アンテナ体の受信性能を確保することが可能となる。
【０００８】
また、この発明によれば、表示部がアンテナ体とは重ならない第２表示領域及び第３表示領域により、平面視したときの表示部の面積を大きくすることができる。これにより、表示部は、時刻等の情報を大きな文字または記号等で表示することが可能となり、電子時計の使い勝手を向上させることができる。
また、この発明によれば、電子時計をベルトにより利用者の腕（前腕または手首）に巻き付けた場合、利用者の前腕の長手方向（利用者の肘から手首に向かう方向）と、第２の方向とは、交差する。すなわち、利用者の前腕の長手方向と第１の方向とは、平行または平行に近い関係となる。
一方、表示部の第１の方向に対する第１の幅は、第２の方向に対する第２の幅以上の広さを有する。換言すれば、表示部の長手方向は、第１の方向を向く。よって、利用者が電子時計を腕に装着する場合、利用者は、表示部の長手方向が、利用者から見て横を向いていると認識し得る。そして、表示部の長手方向が横を向く場合、表示部の長手方向が縦を向く場合に比べて、表示部は、利用者に認識され易い情報の表示を行うことが可能となる。
すなわち、本発明によれば、表示部が、利用者に認識され易い情報の表示を行うことを可能とし、電子時計の使い勝手を向上させることができる。
他方、アンテナ体の第２の方向に対する第４の幅は、第１の方向に対する第３の幅以上の広さを有する。換言すれば、アンテナ体の長手方向は、第２の方向を向く。よって、利用者が電子時計を腕に装着する場合、利用者の前腕の長手方向と、アンテナ体の長手方向とは交差する。アンテナ体が電波を受信する第２領域及び第３領域は、アンテナ体の長手方向の両端に位置するため、電波が利用者の腕に遮られる可能性を低減させ、アンテナ体の受信性能を十分に確保することが可能となる。
【００１１】
また、上述した電子時計において、前記アンテナ体は、位置情報衛星からの電波を受信し、前記第３の幅及び前記第４の幅のうち少なくとも何れかは、前記位置情報衛星からの電波の波長に基づいて定められる、ことが好ましい。
この発明によれば、アンテナ体の形状が、位置情報衛星からの電波の波長に基づいて定められるため、位置情報衛星からの電波に対する受信性能を向上させることができる。
なお、第４の幅のみを当該波長に基づいて定める場合、第３の幅を当該波調とは関係なく狭めることで、アンテナ体の小型化が可能となる。また、第３の幅及び第４の幅の双方を当該波長に基づいて定める場合、第３の幅または第４の幅の一方を当該波調に基づいて定める場合に比べて、アンテナ体の当該電波に対する受信性能を高くすることができる。
【００１５】
また、上述した電子時計は、前記ケースに収納され、前記一体の表示部を制御する制御回路が設けられている基板を含み、前記基板は、前記一体の表示部と前記アンテナ体との間にある、ことを特徴としてもよい。
また、この態様において、前記アンテナ体は、前記一体の表示部に垂直な方向から見たときに、前記基板と重なる第４領域と、前記基板とは重ならない第５領域及び第６領域と、を含み、且つ、前記第４領域は、前記第５領域及び前記第６領域の間に位置する、ことが好ましい。
【００１６】
この発明によれば、アンテナ体は、一体の表示部に垂直な方向から見て基板とは重ならない第５領域及び第６領域を有する。従って、アンテナ体は、基板側からの電波も、基板に遮られることなく、第５領域及び第６領域で受信することができ、アンテナ体の受信性能を十分に確保することが可能となる。
また、この発明によれば、アンテナ体が基板と重なる位置に設けられるため、アンテナ体が基板とは重ならない位置に設けられる場合に比べて、アンテナ体を設けることに起因する電子時計の大型化及びデザインの自由度の低下を抑止することができる。
すなわち、この発明によれば、アンテナ体の受信性能の確保と、電子時計のデザインの自由度の確保との両立が可能となる。
【００１７】
なお、上述した電子時計は、前記制御回路及び前記アンテナ体に給電するための二次電池が収納されている電池収納部と、前記ケースの一方の開口を塞ぐカバーガラスと、前記ケースの前記一方の開口とは反対側の他方の開口を塞ぐ裏蓋と、を含み、前記アンテナ体は、前記一体の表示部と前記裏蓋との間にあり、前記電池収納部は、前記アンテナ体と前記裏蓋との間にある、ことを特徴としてもよい。
【図面の簡単な説明】
【００１８】
【図１】本発明の実施形態に係るアンテナ内蔵式電子時計１００を含むＧＰＳシステムの全体図である。
【図２】電子時計１００の平面図である。
【図３】電子時計１００の一部断面図である。
【図４】電子時計１００の一部断面図である。
【図５】電子時計１００の分解斜視図である。
【図６】アンテナ体６０及び表示部３０の位置関係を説明するための説明図である。
【図７】アンテナ体６０及び基板４０の位置関係を説明するための説明図である。
【図８】アンテナ体６０及び導電線ｑの位置関係を説明するための説明図である。
【図９】制御部４１の構成を示すブロック図である。
【図１０】対比例１に係る電子時計１００ａの一部断面図である。
【図１１】対比例２に係る電子時計１００ｂの平面図である。
【図１２】対比例２に係る電子時計１００ｂの指向特性を説明する説明図である。
【図１３】腕による電波の吸収を説明する説明図である。
【発明を実施するための形態】
【００１９】
＜１．実施形態＞
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２０】
図１は、本発明の実施形態に係るアンテナ内蔵式電子時計１００（以下「電子時計１００」という）を含むＧＰＳシステムの全体図である。電子時計１００は、ＧＰＳ衛星２００からの電波（無線信号）を受信して内部時刻を修正する腕時計であり、腕Ａｒｍに接触する面（以下、「裏面」という）の反対側の面（以下「表面」という）に時刻を表示する。
【００２１】
ＧＰＳ衛星２００は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
【００２２】
現在、約３１個のＧＰＳ衛星２００（図１においては、約３１個のうち４個のみを図示）が存在しており、衛星信号がどのＧＰＳ衛星２００から送信されたかを識別するために、各ＧＰＳ衛星２００はＣ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、衛星信号と各Ｃ／Ａコードのパターンの相関をとることにより、衛星信号に重畳されているＣ／Ａコードを検出することができる。
【００２３】
ＧＰＳ衛星２００は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２００に搭載されている原子時計のわずかな時刻誤差が測定されており、衛星信号にはその時刻誤差を補正するための時刻補正パラメータも含まれている。電子時計１００は、１つのＧＰＳ衛星２００から送信された衛星信号を受信し、その中に含まれるＧＰＳ時刻情報と時刻補正パラメータを使用して内部時刻を正確な時刻に修正する。
【００２４】
衛星信号にはＧＰＳ衛星２００の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２５】
図２は、電子時計１００の平面図である。図２に示すように、電子時計１００は、プラスチックまたはセラミック等の非導電性の部材で形成された外装ケース１０を備える。詳細は後述するが、外装ケース１０は表面側の開口Ｋ１、及び、裏面側の開口Ｋ２の２つの開口を有している。外装ケース１０の表面側の開口Ｋ１は、ガラスまたはプラスチック等の透明材料で形成されたカバーガラス２０で塞がれている。カバーガラス２０の下部（裏面側）には、表示部３０が設けられている。表示部３０には、時刻、日付、曜日等が表示される。電子時計１００の利用者は、カバーガラス２０を介して、表示部３０に表示された時刻等を視認することができる。
また、外装ケース１０には、ベルト１１０を取り付けるためのベルト取付部１４が接続されている。
【００２６】
電子時計１００は、操作ボタンＢ１〜Ｂ５を手動操作することにより、少なくとも１つのＧＰＳ衛星２００からの衛星信号を受信して内部時刻情報の修正を行うモード（時刻情報取得モード）と複数のＧＰＳ衛星２００からの衛星信号を受信して測位計算を行い内部時刻情報の時差を修正するモード（位置情報取得モード）に設定できるように構成されている。また、電子時計１００は、時刻情報取得モードや位置情報取得モードを定期的に（自動的に）実行することもできる。なお、以下では、操作ボタンＢ１〜Ｂ５を、操作ボタンＢと総称する場合がある。また、本実施形態に係る電子時計１００は、５つの操作ボタンＢ１〜Ｂ５を有するが、これは一例に過ぎず、電子時計１００が備える操作ボタンＢの個数は、５つよりも少なくてもよいし、５つよりも多くても構わない。
【００２７】
なお、以下では、説明の便宜上、図２に示すような、互いに直交するｘ軸、ｙ軸、ｚ軸からなる座標系を導入する。より具体的には、ｚ軸は、カバーガラス２０（または、表示部３０）に垂直な方向（図２において、紙面手前方向）を表し、ｘ軸は、表示部３０の長手方向（図２において、横方向）を表し、
ｙ軸は、ベルト１１０の延在方向（図２において、縦方向）を表す。当該座標系は、電子時計１００が姿勢変化した場合には、電子時計１００の姿勢変化に伴い各軸の向きを変化させる（すなわち、電子時計１００と一体となって運動する）座標系である。
なお、ｚ軸に平行な任意の直線を、基準直線と称し、ｘ軸に平行な任意の直線を、第１基準線と称し、ｙ軸に平行な任意の直線を、第２基準線と称する場合がある。また、ｘ軸（第１基準線）に平行な方向を、第１の方向と称し、ｙ軸（第２基準線）に平行な方向を、第２の方向と称する場合がある。
【００２８】
図３は、電子時計１００を、図２のＥ−ｅ線で切断した部分断面図である。ここで、Ｅ−ｅ線は、ｘ軸と平行な線分である。図４は、電子時計１００を、図２のＦ−ｆ線で切断した部分断面図である。ここで、Ｆ−ｆ線は、ｙ軸と平行な線分である。また、図５は電子時計１００の一部の分解斜視図である。なお、図５では、記載の便宜上、電子時計１００の各構成要素を概略的に表している。以下、図３乃至図５を参照しつつ、電子時計１００の構造を説明する。
【００２９】
図３乃至図５に示すように、電子時計１００は、２つの開口を有する外装ケース１０、外装ケース１０の表面側の開口Ｋ１（一方の開口）を塞ぐカバーガラス２０、及び、外装ケース１０の裏面側の開口Ｋ２（他方の開口）を塞ぐ裏蓋１１、を備える。カバーガラス２０は、図示省略されたパッキンに挟み込まれた状態で、外装ケース１０の開口Ｋ１に嵌め込まれている。裏蓋１１は、金属またはプラスチックで形成され、例えば、金属ねじで、外装ケース１０に固定されている。
また、電子時計１００は、外装ケース１０の外側に、ベルト取付部１４を備える。図２に示したように、ベルト取付部１４には、ベルト１１０が取り付けられる。このベルト１１０は、図２において縦方向（第２の方向）に延在するように、ベルト取付部１４に取り付けられる。なお、本実施形態では、ベルト取付部１４は、外装ケース１０とは別個に形成されるが、一体として形成されるものであってもよい。
【００３０】
図３乃至図５に示すように、電子時計１００は、外装ケース１０の内側に、電池収納部７１を備え、電池収納部７１には、リチウムイオン電池等の二次電池７０が格納される。電池収納部７１は、裏蓋１１の上側（表面側）に配置され、支持部１３により外装ケース１０に固定されている。
【００３１】
また、電子時計１００は、外装ケース１０の内側に、アンテナ体６０を備える。このアンテナ体６０は、ＧＰＳ衛星２００からの衛星信号を受信する。本実施形態では、アンテナ体６０として、パッチアンテナを採用する。
アンテナ体６０は、金属等の導電性材料と誘電体とにより板状に形成されている。アンテナ体６０には、図３乃至図５では図示省略された導電線が接続され、当該導電線を介して、制御部４１（より具体的には、後述するバラン４５）から給電される。アンテナ体６０は、二次電池７０の上側（表面側）に配置され、支持部１３により、外装ケース１０に固定されている。
【００３２】
電子時計１００は、外装ケース１０の内側に、基板４０を備える。基板４０は、アンテナ体６０よりも上側（表面側）に配置され、支持部１３により、外装ケース１０に固定されている。基板４０上には、制御部４１が設けられている。
また、電子時計１００は、外装ケース１０の内側に、ブザー５０を備える。ブザー５０は、圧電素子を含んで構成される。このブザー５０は、支持部５１及び支持部５２により、基板４０に取り付けられている。なお、ブザー５０とアンテナ体６０との間には、絶縁体５３が設けられ、アンテナ体６０と支持部５１がショートしてしまうことを防止している。
【００３３】
なお、電子時計１００は、制御部４１が備える配線または制御部４１に電気的に接続された配線（制御部４１と電気的に接続された導電体）や、ブザー５０が備える配線（ブザー５０が備える導電体）等、互いに離間した複数の導電体を備えている。そして、電子時計１００は、互いに離間した２つの導電体（導電体の組）を、電気的に接続する構成要素を、複数備える。以下では、互いに離間した２つの導電体を電気的に接続するための構成要素を、接続部と総称する。
本実施形態において、接続部は、導電性弾性体を１以上含む。また、これら１以上の導電性弾性体は、板ばねである。
導電性弾性体として、通常はコイルばねを使用する。コイルばねは、電流が流れた際に磁界を発生させるため、当該磁界の影響がアンテナに及ぶ場合には、アンテナの受信性能が劣化する。
これに対して、本実施形態では、導電性弾性体として全て板ばねを使用する。すなわち、外装ケース１０の内部にはコイルばねが存在しない。従って、本実施形態に係る電子時計１００は、接続部が発生させる磁界に起因したアンテナの受信性能の劣化を抑止することが可能となる。
【００３４】
基板４０には、板ばねＳ１（第１の板ばね）が、ブザー５０（ブザー５０が備える導電体）と接触するように設けられている。この板ばねＳ１は導電性弾性体であり、互いに離間した導電体である制御部４１が備える導電体（または制御部４１と電気的に接続された導電体）及びブザー５０が備える導電体を電気的に接続する。
【００３５】
電子時計１００は、外装ケース１０の内側に、表示部３０を備える。この表示部３０は、基板４０とカバーガラス２０との間に配置され、支持部１２により、外装ケース１０に固定されている。表示部３０は、液晶パネル３１と、液晶パネル３１よりも下側（裏面側）に配置された発光部３２とを備える。発光部３２は、上側（表面側）に光を出射し、当該光のうち、液晶パネル３１及びカバーガラス２０を透過した光が、電子時計１００の利用者により視認される。本実施形態では、液晶パネル３１は、半透過半反射型であり、電子時計１００の外部からカバーガラス２０に入射し、カバーガラス２０を透過した外光のうち、液晶パネル３１により反射された光も、電子時計１００の利用者により視認される。
【００３６】
図３に示すように、外装ケース１０には、その側面を貫通する貫通孔ＨＪ（第１貫通孔）及び貫通孔ＨＢ（第２貫通孔）が設けられる。
電子時計１００は、充電端子Ｊを備え、充電端子Ｊは、貫通孔ＨＪに挿入されている。充電端子Ｊは、図示省略された外部端子と接続可能である。
【００３７】
また、基板４０には、板ばねＳ２（第２の板ばね）が、充電端子Ｊと接触するように設けられている。この板ばねＳ２は導電性の弾性体であり、互いに離間した導電体である充電端子Ｊ及び制御部４１が備える導電体（または制御部４１と電気的に接続された導電体）を電気的に接続する。すなわち、板ばねＳ２は、充電端子Ｊが外部端子に接続されると、外部端子と制御部４１とを電気的に接続する。
【００３８】
操作ボタンＢは、ボタン軸にパッキンＰが挿入された状態で、貫通孔ＨＢに嵌め込まれている。より具体的には、外装ケース１０には、操作ボタンＢ１〜Ｂ５の各々に対応して、５つの貫通孔ＨＢが設けられる。そして、操作ボタンＢ１〜Ｂ５の各々は、ボタン軸にパッキンＰが挿入された状態で、対応する貫通孔ＨＢに嵌め込まれている。
操作ボタンＢは、押下されると、定常位値である位置ｘｂ１（第１の位置）から、位置ｘｂ２（第２の位置）へと移動する。位置ｘｂ２に移動した操作ボタンＢは、非導電性の弾性体（例えば、ゴム）により構成されたパッキンＰにより、位置ｘｂ２から定常位置である位置ｘｂ１に復元されるように付勢される。
なお、パッキンＰは、貫通孔ＨＢと操作ボタンＢとの間の空間を密封する。すなわち、パッキンＰを備えることにより、外装ケース１０の内部への水の侵入を防止することが可能となる。
操作ボタンＢが押下された場合、操作ボタンＢと基板４０に設けられたスイッチ１５とが接触する。このときスイッチ１５は、操作ボタンＢからの圧力を検知し、これを電気的な信号として、制御部４１に伝達する。
【００３９】
図６は、電子時計１００を、表示部３０に垂直な方向（ｚ軸方向）から見た場合の、アンテナ体６０及び表示部３０の相互の位置関係を説明するための説明図である。図６では、電子時計１００を構成する要素のうち、アンテナ体６０及び表示部３０以外の構成要素については、図示を省略している。なお、以下では、表示部３０に垂直な方向から電子時計１００を見ることを、単に「平面視」と称する場合がある。
図６に示すように、アンテナ体６０は、平面視したときに、表示部３０と重なる第１領域ＡＲ１、表示部３０とは重ならない第２領域ＡＲ２、及び、表示部３０とは重ならない第３領域ＡＲ３に区分される。第１領域ＡＲ１は、第２領域ＡＲ２及び第３領域ＡＲ３の間に位置する。
また、表示部３０は、アンテナ体６０（より具体的には、アンテナ体６０の第１領域ＡＲ１）と重なる第１表示領域ＡＲｄ１、アンテナ体６０とは重ならない第２表示領域ＡＲｄ２、及び、アンテナ体６０とは重ならない第３表示領域ＡＲｄ３に区分される。第１表示領域ＡＲｄ１は、第２表示領域ＡＲｄ２及び第３表示領域ＡＲｄ３の間に位置する。
【００４０】
図６に示すように、表示部３０は、ｘ軸に平行な方向に対して、幅ｗ１（第１の幅）を有するように延在し、ｙ軸に平行な方向に対して、幅ｗ２（第２の幅）を有するように延在する。本実施形態では、幅ｗ１は、幅ｗ２以上の広さを有する。すなわち、表示部３０は、長手方向がｘ軸に平行となるように設けられる。
但し、表示部３０は、このような形状に限定されるものではなく、幅ｗ１は、幅ｗ２と等しくてもよいし、幅ｗ２以下であってもよい。
【００４１】
また、アンテナ体６０は、ｘ軸に平行な方向に対して、幅ｗ３（第３の幅）を有するように延在し、ｙ軸に平行な方向に対して、幅ｗ４（第４の幅）を有するように延在する。本実施形態では、幅ｗ４は、幅ｗ３以上の広さを有する。すなわち、アンテナ体６０は、長手方向がｙ軸に平行となるように設けられる。
但し、アンテナ体６０は、このような形状に限定されるものではなく、幅ｗ４は、幅ｗ３と等しくてもよい。
また、幅ｗ４は、衛星信号の有する波長λに基づいて定められる。例えば、１以上の整数をｎとしたとき、幅ｗ４は、波長λを整数ｎで除算した値として定めてもよい。
なお、幅ｗ３と幅ｗ４とが等しい場合、幅ｗ３及び幅ｗ４は、共に、衛星信号の有する波長λに基づいて定められる。
【００４２】
本実施形態において、アンテナ体６０の形状は、八角柱であるが、四角柱であってもよいし、六角柱であってもよい。いずれにしても、図６に示すように、幅ｗ４が幅ｗ２よりも広くなるように、アンテナ体６０及び表示部３０が設けられていればよい。換言すれば、アンテナ体６０は、平面視したときに表示部３０と重なる第１領域ＡＲ１の両端に、表示部３０とは重ならない第２領域ＡＲ２及び第３領域ＡＲ３が存在するように設けられていればよい。
また、本実施形態では、図６に示すように、幅ｗ１は幅ｗ３よりも広い。但し、幅ｗ１は、幅ｗ３と等しい幅であってもよいし、幅ｗ３以下であってもよい。
【００４３】
以下では、平面視したときに、第１表示領域ＡＲｄ１及び第２表示領域ＡＲｄ２を区分する直線を、直線Ｌｎ１（第１直線）と称し、第１表示領域ＡＲｄ１及び第３表示領域ＡＲｄ３を区分する直線を、直線Ｌｎ２（第２直線）と称する。直線Ｌｎ１及び直線Ｌｎ２は、ｙ軸に平行な直線である。
また、平面視したときに、第１領域ＡＲ１及び第２領域ＡＲ２を区分する直線を、
直線Ｌｎ３（第３直線）と称し、第１領域ＡＲ１及び第３領域ＡＲ３を区分する直線を、直線Ｌｎ４（第４直線）と称する。
【００４４】
図７は、電子時計１００を、表示部３０に垂直な方向（ｚ軸方向）から見た場合の、アンテナ体６０及び基板４０の相互の位置関係を説明するための説明図である。図７では、電子時計１００を構成する要素のうち、アンテナ体６０及び基板４０以外の構成要素については、図示を省略している。
アンテナ体６０は、図７に示すように、平面視して基板４０と重なる第４領域ＡＲ４の両端に、平面視して基板４０と重ならない第５領域ＡＲ５及び第６領域ＡＲ６を有する。第４領域ＡＲ４は、第５領域ＡＲ５及び第６領域ＡＲ６の間に位置する。
また、平面視したときに、第４領域ＡＲ４及び第５領域ＡＲ５を区分する直線を、
直線Ｌｎ５（第５直線）と称し、第４領域ＡＲ４及び第６領域ＡＲ６を区分する直線を、直線Ｌｎ６（第６直線）と称する。
【００４５】
図３乃至図５では図示省略したが、電子時計１００は、複数の導電線ｑを備える。
以下では、各導電線ｑとアンテナ体６０との位置関係について説明する。
図８は、複数の導電線ｑの各々と、アンテナ体６０との位置関係を説明するための説明図である。なお、図８では、複数の導電線ｑの他は、アンテナ体６０、基板４０、及び、二次電池７０のみを図示しており、これらの形状は簡略化して表されている。
【００４６】
図８に示すように、導電線ｑは、少なくとも、アンテナ体６０の近傍の空間であるアンテナ体近傍空間ＳＰにおいて、導電線ｑの延在する方向とｚ軸とが、できるだけ平行となるように設けられる。具体的には、導電線ｑは、アンテナ体近傍空間ＳＰにおいて、ｚ軸と完全に平行となるように、または、ｚ軸とのなす角度が所定の角度以下（例えば、１度以下）となるように設けられる。
ここで、アンテナ体近傍空間ＳＰとは、例えば、図８に示すように、アンテナ体６０が有する面のうち、表面側の面（基板４０側の面）を、第１の面ＰＬ１とし、裏面側の面（二次電池７０側の面）を、第２の面ＰＬ２としたとき、第１の面ＰＬ１を含む平面と、第２の面ＰＬ２を含む平面との間の空間である。
なお、導電線ｑは、アンテナ体近傍空間ＳＰ以外の空間においても、ｚ軸とのなす角度が、所定の角度以下となるように設けられてもよい。
【００４７】
また、導電線ｑがアンテナ体近傍空間ＳＰに設けられる場合には、アンテナ体近傍空間ＳＰのうち一部の空間にのみ設けられる。具体的には、導電線ｑは、アンテナ体近傍空間ＳＰのうち、部分空間ＳＰ１または部分空間ＳＰ２に設けられる。
ここで、部分空間ＳＰ１とは、アンテナ体近傍空間ＳＰのうち、平面視したときに、直線Ｌｎ１を挟んで第１領域ＡＲ１とは逆側の空間であり、部分空間ＳＰ２とは、アンテナ体近傍空間ＳＰのうち、平面視したときに、直線Ｌｎ２を挟んで第１領域ＡＲ１とは逆側の空間である。
更に、導電線ｑは、アンテナ体近傍空間ＳＰのうち、部分空間ＳＰａ１または部分空間ＳＰａ２に設けられることが好ましい。ここで、部分空間ＳＰａ１とは、部分空間ＳＰ１のうち、平面視して、直線Ｌｎ３及び直線Ｌｎ４の間に位置する空間であり、部分空間ＳＰａ２とは、部分空間ＳＰ２のうち、平面視して、直線Ｌｎ３及び直線Ｌｎ４の間に位置する空間である。
より詳細には、導電線ｑは、部分空間ＳＰａ１または部分空間ＳＰａ２の中で、直線Ｌｎ３及び直線Ｌｎ４の双方からの距離ができるだけ遠くなる位置に設けられることが好ましい。また、導電線ｑは、部分空間ＳＰａ１または部分空間ＳＰａ２の中で、平面視したときに、第１領域ＡＲ１から距離ができるだけ遠くなる位置に設けられることが好ましい。
具体的には、導電線ｑが部分空間ＳＰａ１に設けられる場合には、部分空間ＳＰａ１の中で、直線Ｌｎ１から（−ｘ）方向にできるだけ離れた位置で、且つ、直線Ｌｎ３及び直線Ｌｎ４からの距離ができるだけ遠くなる位置に設けられることが好ましい。また、導電線ｑが部分空間ＳＰａ２に設けられる場合には、部分空間ＳＰａ２の中で、直線Ｌｎ２から（＋ｘ）方向にできるだけ離れた位置で、且つ、直線Ｌｎ３及び直線Ｌｎ４からの距離ができるだけ遠くなる位置に設けられることが好ましい。
なお、導電線ｑは、部分空間ＳＰ１のうち、平面視して、直線Ｌｎ５及び直線Ｌｎ６の間に位置する空間、または、部分空間ＳＰ２のうち、平面視して、直線Ｌｎ５及び直線Ｌｎ６の間に位置する空間に設けられるものであってもよい。
なお、図８において、基板４０と二次電池７０とを４つの導電線ｑで接続しているが、導電線ｑの数はこれに限定されない。さらに、部分空間ＳＰａ１あるいはＳＰａ２のいずれか一方に複数の導電線ｑを配置してもよい。なお、導電線ｑの接続先は二次電池７０以外であってもよい。
【００４８】
図９は、制御部４１の構成の一例を示すブロック図である。制御部４１は、電子時計１００の動作を制御する。具体的には、制御部４１は、少なくとも表示部３０の駆動を制御する。また、制御部４１は、アンテナ体６０が受信した信号から衛星信号を抽出する処理を実行するとともに、二次電池７０を充電する処理を制御する。
図９に示すように、制御部４１は、ＧＰＳ受信部８０及び制御表示部９０を含んで構成されている。ＧＰＳ受信部８０は、衛星信号の受信、ＧＰＳ衛星２００の捕捉、位置情報の生成、時刻修正情報の生成等の処理を行う。制御表示部９０は、内部時刻情報の保持及び内部時刻情報の修正等の処理を行う。
【００４９】
制御部４１は、充電制御回路４７を備える。充電端子Ｊに外部端子が接続されたとき、充電制御回路４７は板ばねＳ１及び充電端子Ｊを介して、外部端子と電気的に接続される。これにより、図示省略された外部電源は、外部端子、充電端子Ｊ、板ばねＳ１、及び、充電制御回路４７を通じで、二次電池７０を充電する。
電子時計１００はレギュレータ４２及びレギュレータ４３を備え、二次電池７０は、レギュレータ４２を介して制御表示部９０に、レギュレータ４３を介してＧＰＳ受信部８０に駆動電力を供給する。また電子時計１００は、二次電池７０の電圧を検出する電圧検出回路４４を備える。
なお、レギュレータ４３に代えて、例えば、ＲＦ部８２（詳細は後述）に駆動電力を供給するレギュレータ、及び、ベースバンド部８４（詳細は後述）に駆動電力を供給するレギュレータ（ともに図示せず）に分けて設けてもよい。ＲＦ部８２に駆動電力を供給するレギュレータは、ＲＦ部８２の内部に設けてもよい。
【００５０】
また電子時計１００は、アンテナ体６０、バラン４５、及びＳＡＷ（Surface Acoustic Wave：表面弾性波）フィルタ４６を含む。上述のとおり、アンテナ体６０は、複数のＧＰＳ衛星２００からの衛星信号を受信する。ただし、アンテナ体６０は衛星信号以外の不要な電波も若干受信してしまうため、ＳＡＷフィルタ４６は、アンテナ体６０が受信した信号から衛星信号を抽出する処理を行う。すなわち、ＳＡＷフィルタ４６は、１．５ＧＨｚ帯の信号を通過させるバンドパスフィルタとして構成される。制御部４１は、バラン４５を介して、アンテナ体６０に給電する。本実施形態では、アンテナ体６０への給電は平衡給電である。
【００５１】
また、ＧＰＳ受信部８０は、ＲＦ（Radio Frequency：無線周波数）部８２及びベースバンド部８４を含んで構成されている。以下に説明するように、ＧＰＳ受信部８０は、ＳＡＷフィルタ４６が抽出した１．５ＧＨｚ帯の衛星信号から航法メッセージに含まれる軌道情報やＧＰＳ時刻情報等の衛星情報を取得する処理を行う。
【００５２】
ＲＦ部８２は、ＬＮＡ（Low Noise Amplifier）８２１、ミキサ８２２、ＶＣＯ（Voltage Controlled Oscillator）８２３、ＰＬＬ（Phase Locked Loop）回路８２４、ＩＦアンプ８２５、ＩＦ（Intermediate Frequency：中間周波数）フィルタ８２６、ＡＤＣ（Ａ／Ｄ変換器）８２７等を含んで構成されている。
【００５３】
ＳＡＷフィルタ４６が抽出した衛星信号は、ＬＮＡ８２１で増幅される。ＬＮＡ８２１で増幅された衛星信号は、ミキサ８２２でＶＣＯ８２３が出力するクロック信号とミキシングされて中間周波数帯の信号にダウンコンバートされる。ＰＬＬ回路８２４は、ＶＣＯ８２３の出力クロック信号を分周したクロック信号と基準クロック信号を位相比較してＶＣＯ８２３の出力クロック信号を基準クロック信号に同期させる。その結果、ＶＣＯ８２３は基準クロック信号の周波数精度の安定したクロック信号を出力することができる。なお、中間周波数として、例えば、数ＭＨｚを選択することができる。
【００５４】
ミキサ８２２でミキシングされた信号は、ＩＦアンプ８２５で増幅される。ここで、ミキサ８２２でのミキシングにより、中間周波数帯の信号とともに数ＧＨｚの高周波信号も生成される。そのため、ＩＦアンプ８２５は、中間周波数帯の信号とともに数ＧＨｚの高周波信号も増幅する。ＩＦフィルタ８２６は、中間周波数帯の信号を通過させるとともに、この数ＧＨｚの高周波信号を除去する（正確には、所定のレベル以下に減衰させる）。ＩＦフィルタ８２６を通過した中間周波数帯の信号はＡＤＣ（Ａ／Ｄ変換器）８２７でデジタル信号に変換される。
【００５５】
ベースバンド部８４は、ＤＳＰ（Digital Signal Processor）８４１、ＣＰＵ（Central Processing Unit）８４２、ＳＲＡＭ（Static Random Access Memory）８４３、ＲＴＣ（リアルタイムクロック）８４４を含んで構成されている。また、ベースバンド部８４には、温度補償回路付き水晶発振回路（ＴＣＸＯ：Temperature Compensated Crystal Oscillator）８６やフラッシュメモリ８８等が接続されている。
【００５６】
温度補償回路付き水晶発振回路８６は、温度に関係なくほぼ一定の周波数の基準クロック信号を生成する。フラッシュメモリ８８には、例えば時差情報が記憶されている。時差情報は、時差データ（座標値（例えば、緯度及び経度）に関連づけられたＵＴＣに対する補正量等）が定義された情報である。
【００５７】
ベースバンド部８４は、時刻情報取得モード又は位置情報取得モードに設定されると、ＲＦ部８２のＡＤＣ８２７が変換したデジタル信号（中間周波数帯の信号）からベースバンド信号を復調する処理を行う。
【００５８】
また、ベースバンド部８４は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部８４は、各ローカルコードに対する相関値がピークになるようにローカルコードの発生タイミングを調整し、相関値が閾値以上となる場合にはそのローカルコードのＧＰＳ衛星２００に同期（すなわち、ＧＰＳ衛星２００を捕捉）したものと判断する。ここで、ＧＰＳシステムでは、すべてのＧＰＳ衛星２００が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２００を検索することができる。
【００５９】
また、ベースバンド部８４は、時刻情報取得モード又は位置情報取得モードにおいて、捕捉したＧＰＳ衛星２００の衛星情報を取得するために、当該ＧＰＳ衛星２００のＣ／Ａコードと同一のパターンのローカルコードとベースバンド信号をミキシングする処理を行う。ミキシングされた信号には、捕捉したＧＰＳ衛星２００の衛星情報を含む航法メッセージが復調される。そして、ベースバンド部８４は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ８４３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部８４は、衛星情報に基づいて、内部時刻情報を修正するために必要な時刻修正情報を生成する。
【００６０】
時刻情報取得モードの場合、より具体的には、ベースバンド部８４は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００６１】
一方、位置情報取得モードの場合、より具体的には、ベースバンド部８４は、ＧＰＳ時刻情報や軌道情報に基づいて測位計算を行い、位置情報（より具体的には、受信時に電子時計１００が位置する場所の緯度及び経度）を取得する。さらに、ベースバンド部８４は、フラッシュメモリ８８に記憶されている時差情報を参照し、位置情報により特定される電子時計１００の座標値（例えば、緯度及び経度）に関連づけられた時差データを取得する。このようにして、ベースバンド部８４は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。なお、ベースバンド部８４は、１つのＧＰＳ衛星２００の衛星情報から時刻修正情報を生成してもよいし、複数のＧＰＳ衛星２００の衛星情報から時刻修正情報を生成してもよい。
【００６２】
また、ベースバンド部８４の動作は、温度補償回路付き水晶発振回路８６が出力する基準クロック信号に同期する。ＲＴＣ８４４は、衛星信号を処理するためのタイミングを生成するものである。このＲＴＣ８４４は、温度補償回路付き水晶発振回路８６から出力される基準クロック信号でカウントアップされる。また、ベースバンド部８４に設けられたＲＴＣ８４４は、ＧＰＳ衛星２００の衛星情報を受信中にのみ動作し、ＧＰＳ時刻情報を保持する。
【００６３】
制御表示部９０は、制御部９２、水晶振動子９４及び駆動回路９６を含んで構成されている。制御部９２は、記憶部９２１、ＲＴＣ（Real Time Clock）９２２を備え、各種制御を行う。制御部９２は、例えばＣＰＵで構成することが可能である。制御部９２は、制御信号をＧＰＳ受信部８０に送り、ＧＰＳ受信部８０の受信動作を制御する。また制御部９２は、電圧検出回路４４の検出結果に基づいて、レギュレータ４２及びレギュレータ４３の動作を制御する。また制御部９２は、駆動回路９６を介して表示部３０の駆動を制御する。
【００６４】
記憶部９２１には内部時刻情報が記憶されている。ＲＴＣ９２２は、常時動作し、時刻表示のための内部時刻を計時し内部時刻情報を生成する。内部時刻情報は、電子時計１００の内部で計時される時刻の情報であり、水晶振動子９４によって生成される基準クロック信号によって更新される。したがって、ＧＰＳ受信部８０への電力供給が停止されていても、内部時刻情報を更新して表示部３０に正確な時刻を表示できるようになっている。
【００６５】
制御部９２は、時刻情報取得モードに設定されると、ＧＰＳ受信部８０の動作を制御し、ＧＰＳ時刻情報に基づいて内部時刻情報を修正して記憶部９２１に記憶する。より具体的には、内部時刻情報は、取得したＧＰＳ時刻情報にＵＴＣオフセットを加算することで求められるＵＴＣ（協定世界時）に修正される。また、制御部９２は、位置情報取得モードに設定されると、ＧＰＳ受信部８０の動作を制御し、衛星時刻データ（ＧＰＳ時刻情報）及び時差データに基づいて、内部時刻情報を修正して記憶部９２１に記憶する。
【００６６】
以上で説明したように、本実施形態に係るアンテナ体６０は、外装ケース１０の内部に収納され、且つ、平面視したときに表示部３０と重なる位置に設けられている。これにより、アンテナ体６０を備えることによる電子時計１００のデザイン性及び装着性の低下を、最小限に抑えることが可能となる。
この、「デザイン性及び装着性の低下の抑制」という効果を説明するために、平面視してアンテナ体が表示部と重ならないように配置された対比例１に係る電子時計１００ａを、図１０を参照しつつ説明する。図１０は対比例１に係る電子時計１００ａの部分断面図であり、本実施形態に係る図４に対応する図である。
【００６７】
図１０に示すように、対比例１に係る電子時計１００ａは、平面視したときに、アンテナ体６０ａが、表示部３０及び基板４０と重ならない位置に設けられている。より具体的には、アンテナ体６０ａは、表示部３０及び基板４０よりも、図１０において左側（−ｙ方向）に設けられる。従って、電子時計１００ａが備える外装ケース１０ａは、表示部３０及び基板４０を収納するための本体部と、アンテナ体６０ａを格納するための図１０において左側に張り出した形状の張り出し部とから構成されることになる。
このため、電子時計１００ａは、張り出した形状を有する外装ケース１０ａを考慮した（すなわち、アンテナ体６０ａを格納することを考慮した）デザインを施すことが必要となり、デザインの自由度が低下する。
また、電子時計１００ａが備えるベルト取付部１４ａは、外装ケース１０ａの左側に張り出した部分に取り付けられるため、電子時計１００ａの装着性は、（外装ケースが張り出した部分を有さない場合に比べて）低下する可能性が高い。
【００６８】
これに対して、本実施形態に係る電子時計１００は、図４に示すように、アンテナ体６０の少なくとも一部が、平面視して表示部３０及び基板４０と重なる位置に配置される。従って、本実施形態に係る電子時計１００が備える外装ケース１０は、対比例１に係る外装ケース１０ａのような、アンテナ体を格納するための張り出した形状を有さない。このため、本実施形態に係る電子時計１００は、対比例１に係る電子時計１００ａに比べて、装着性において優れたものとなる。
また、本実施形態に係る電子時計１００は、デザインを施す上で、アンテナ体６０を考慮する必要が無い（すなわち、張り出した形状を考慮する必要が無い）。このため、本実施形態に係る電子時計１００は、対比例１に係る電子時計１００ａに比べて、デザインの自由度が高くなり、優れたデザインを施すことが可能となる。
このように、本実施形態は、デザイン性及び装着性を低下させることなく、電子時計１００にアンテナ体６０を備えることを可能とした。
【００６９】
なお、図４に示すように、アンテナ体６０のｚ方向の厚さは、例えば、二次電池７０の厚さに比べて小さい。従って、電子時計１００がアンテナ体６０を備えることによる、電子時計１００のサイズに与える影響は、無視できる程度に小さい。すなわち、本実施形態は、電子時計１００を大型化させることなく、アンテナ体６０を配置することを可能とした。
【００７０】
また、本実施形態に係るアンテナ体６０は、平面視して表示部３０と重ならない第２領域ＡＲ２及び第３領域ＡＲ３を有する。このため、平面視したときに、アンテナ体６０の第１領域ＡＲ１と表示部３０とが重なったとしても、第２領域ＡＲ２及び第３領域ＡＲ３により受信性能を十分に高く維持することが可能となる。
すなわち、本実施形態に係る電子時計１００は、アンテナ体６０を表示部３０の下部（裏面側）に設けることにより、アンテナ体６０を備えることに起因するデザイン性及び装着性の低下を抑止することが可能となるとともに、アンテナ体６０が第２領域ＡＲ２及び第３領域ＡＲ３を有することにより、高い受信性能を得ることが可能となる。
同様に、本実施形態に係る電子時計１００は、アンテナ体６０を基板４０の下部（裏面側）に設けることにより、アンテナ体６０を備えることに起因するデザイン性及び装着性の低下を抑止することが可能となるとともに、アンテナ体６０が第５領域ＡＲ５及び第６領域ＡＲ６を有することにより、高い受信性能を得ることが可能となる。
【００７１】
また、本実施形態に係るアンテナ体６０は、幅ｗ３が幅ｗ４以下となる形状を有する。よって、例えば、幅ｗ４を、衛星信号の波長λに基づいて定める場合であっても、幅ｗ３は、波長λに関係なく狭めることができるため、平面視したときのアンテナ体６０の面積を小さくすることが可能となる。すなわち、本実施形態は、デザイン性及び装着性を低下させることなく、電子時計１００にアンテナ体６０を備えることを可能とした。
【００７２】
また、本実施形態に係るアンテナ体６０は、幅ｗ４が幅ｗ３以上となるため、幅ｗ４が幅ｗ３よりも狭い場合と比べて、電子時計１００が腕Ａｒｍに装着されることによる受信性能の劣化の程度を、小さく抑えることができる。
この効果を説明するために、幅ｗ４が幅ｗ３よりも狭い場合である、対比例２に係る電子時計１００ｂを、図１１乃至図１３を参照しつつ説明する。
【００７３】
図１１は、平面視したときの、対比例２に係る電子時計１００ｂのアンテナ体６０ｂと、腕Ａｒｍとの位置関係を説明するための平面図である。なお、対比例２に係る電子時計１００ｂは、ｙ方向の幅ｗ４ｂが、ｘ方向の幅ｗ３ｂよりも狭い形状のアンテナ体６０ｂを有する点を除き、実施形態に係る電子時計１００と同様に構成される。
対比例２に係る電子時計１００ｂは、外装ケース１０のｙ方向の幅に比べて、アンテナ体６０ｂのｙ方向の幅ｗ４ｂが狭い。このため、対比例２に係る電子時計１００ｂは、腕Ａｒｍの輪郭ＬＡｒｍ１とアンテナ体６０ｂとの距離、及び、腕Ａｒｍの輪郭ＬＡｒｍ２とアンテナ体６０ｂとの距離が、実施形態に係る電子時計１００に比べて大きくなる。その結果、電子時計１００ｂは、電子時計１００に比べて、衛星信号が腕Ａｒｍに遮られ、受信される衛星信号の強度が弱くなる可能性が高い。すなわち、電子時計１００ｂは、電子時計１００に比べて、腕Ａｒｍに装着されることによる受信性能の劣化の程度が大きい。
【００７４】
図１２は、電子時計１００ｂが腕Ａｒｍに装着されていない状態及び装着された状態における、アンテナ体６０ｂの指向特性を説明する説明図である。なお、図１２（Ａ）は、電子時計１００ｂが腕Ａｒｍに装着されていない場合の、アンテナ体６０ｂのｙｚ平面における指向特性を表し、図１２（Ｂ）は、電子時計１００ｂが腕Ａｒｍに装着されている場合の、アンテナ体６０ｂのｙｚ平面における指向特性を表している。
図１２（Ａ）に示すように、電子時計１００ｂが腕Ａｒｍに装着されていない場合には、アンテナ体６０は、ｙｚ平面の全ての方向に対して良好な受信性能を有する。しかし、図１２（Ｂ）に示すように、電子時計１００ｂが腕Ａｒｍに装着されている場合、
腕Ａｒｍによる電波の吸収に起因して、アンテナ体６０ｂの受信性能は、（−ｚ）方向、特に、ベクトルＶ１で示す方向及びベクトルＶ２で示す方向において、劣化する。このような、腕Ａｒｍによる電波の吸収に起因する、受信性能の劣化について、本実施形態に係るアンテナ体６０、及び、対比例２に係るアンテナ体６０ｂを比較する。
【００７５】
図１３は、腕Ａｒｍによる衛星信号の吸収に起因する、アンテナ体の受信性能の劣化の程度について説明するための説明図である。この図では、説明の便宜上、アンテナ体と腕Ａｒｍのみが存在する場合を仮定している。
図１３（Ａ）は、図１のＧ−ｇ線において断面視した図であり、腕Ａｒｍによる衛星信号の吸収に起因する、本実施形態に係るアンテナ体６０の受信性能の劣化の程度について表している。図１３（Ｂ）は、図１１のＧ−ｇ線において断面視した図であり、腕Ａｒｍによる衛星信号の吸収に起因する、対比例２に係るアンテナ体６０ｂの受信性能の劣化の程度について表している。また、図１３（Ａ）及び（Ｂ）に示された曲線ＣＬ及び曲線ＣＬｂは、アンテナ体６０及びアンテナ体６０ｂが、ｙｚ平面の各方向に対して放射しうる電波の強度（すなわち、アンテナ体６０及びアンテナ体６０ｂが、ｙｚ平面の各方向から受信し得る衛星信号の強度）を、概念的に表した曲線である。
図１３（Ｂ）に示すように、アンテナ体６０ｂは、幅ｗ４ｂが、腕Ａｒｍにおける輪郭ＬＡｒｍ１〜輪郭ＬＡｒｍ２の間隔ｗ０に比べて小さい。従って、アンテナ体６０ｂは、腕Ａｒｍの影響を受け、（＋ｙ）方向、（−ｙ）方向、及び、（−ｚ）方向からの衛星信号を、十分な強度の信号として受信することができない。
これに対して、本実施形態に係るアンテナ体６０は、図１３（Ａ）に示すように、幅ｗ４の間隔ｗ０に対する比率が、対比例２に係るアンテナ体６０ｂ（幅ｗ４ｂの間隔ｗ０に対する比率）に比べて大きい。よって、本実施形態に係るアンテナ体６０が受信する衛星信号の強度に対して腕Ａｒｍが及ぼす影響の程度は、対比例２に係るアンテナ体６０ｂに比べて小さい。このため、アンテナ体６０は、腕Ａｒｍの影響により、（−ｚ）方向からの衛星信号については十分な強度の信号として受信することができないものの、（＋ｙ）方向、及び、（−ｙ）方向からの衛星信号は、十分な強度を有する信号として受信することが可能である。
このように、本実施形態によれば、電子時計１００が腕Ａｒｍに装着された場合も、高い受信性能を維持することが可能となる。
【００７６】
また、本実施形態に係る接続部が備える導電性弾性体は、全て、板ばねである。すなわち、本実施形態に係る電子時計１００は、導電性弾性体としてコイルばねを使用しない。
通常、コイルばねは、磁界を発生させやすい。そのため、電子時計１００がコイルばねを備える場合には、コイルばねから生じる磁界がノイズとしてアンテナ体６０に伝播し、アンテナ体６０の受信性能を劣化させる。
特に、本実施形態のように、アンテナ体６０を、表示部３０及び基板４０の下部（裏面側）に配置する場合、アンテナ体６０と接続部とが接近することは避けがたいため、接続部にコイルばねを使用した場合の、アンテナ体６０の受信性能の劣化の程度は大きくなる。
これに対して、本実施形態では、導電性弾性体として、コイルばねを採用する代わりに、板ばねを採用する。板ばねは、コイルばねに比べて、磁界を発生させにくい。また、仮に、板ばねが磁界を発生させたとしても、その磁界の強さはコイルばねが発生させる磁界に比べて弱くなる可能性が高い。すなわち、本実施形態によれば、導電性弾性体として板ばねを採用することで、導電性弾性体の発生する磁界の大きさを小さく抑えることができる。換言すれば、本実施形態は、導電性弾性体が発生させる磁界に起因したアンテナ体６０のアンテナ特性の劣化を、小さく抑えることが可能となる。
【００７７】
また、本実施形態に係る操作ボタンＢは、定常位置である位置ｘｂ１から、押下された位置ｘｂ２に移動した場合に、パッキンＰにより、定常位置である位置ｘｂ１に復元されるように付勢される。
通常、操作ボタンを定常位置に復元するように付勢するための付勢部として、コイルばねが使用される。しかし、コイルばねは、上述のとおり、磁界を発生させやすく、
当該磁界の影響により、アンテナ体６０の受信性能が劣化することになる。
これに対して、本実施形態は、パッキンＰが、非導電性の弾性体により構成されるため、パッキンＰが磁界を発生させることはない。従って、本実施形態に係る電子時計１００は、付勢部として、コイルばねを用いる場合に比べて、高い受信性能を得ることが可能となる。
【００７８】
また、本実施形態に係る導電線ｑは、図８に示したように、少なくともアンテナ体近傍空間ＳＰにおいて、ｚ軸と平行、または、ｚ軸とのなす角度が所定の角度以下となるように設けられる。すなわち、本実施形態に係る、導電線ｑと、アンテナ体６０とは、垂直または垂直に近い角度で交差する。
導電線ｑに電流が流れる場合には、導電線ｑの周囲に磁界が発生する。当該磁界が、アンテナ体６０に及ぼす影響の程度は、導電線ｑとアンテナ体６０とが平行である場合に大きくなる。
これに対して本実施形態では、導電線ｑとアンテナ体６０とが垂直または垂直に近い角度で交差するように、導電線ｑが設けられるため、導電線ｑに電流が流れる際に発生する磁界が、アンテナ体６０に及ぼす影響を小さく抑えることが可能となる。
【００７９】
また、本実施形態は、導電線ｑがアンテナ体近傍空間ＳＰを通る必要のある場合には、導電線ｑは、アンテナ体近傍空間ＳＰのうち、部分空間ＳＰ１または部分空間ＳＰ２に設けられる。
上述のとおり、アンテナ体６０は、主として、第２領域ＡＲ２及び第３領域ＡＲ３で衛星信号を受信する。そのため、導電線ｑが、第２領域ＡＲ２または第３領域ＡＲ３の近傍に配置される場合には、離れた位置に配置される場合に比べて、導電線ｑに電流が流れる際に発生する磁界の、アンテナ体６０の受信性能に対する影響が、大きくなる。
部分空間ＳＰ１及び部分空間ＳＰ２は、アンテナ体近傍空間ＳＰの中で、第２領域ＡＲ２または第３領域ＡＲ３から離れた空間である。従って、導電線ｑが、部分空間ＳＰ１または部分空間ＳＰ２に設けられる場合、部分空間ＳＰ１または部分空間ＳＰ２以外のアンテナ体近傍空間ＳＰに設けられる場合に比べて、導電線ｑからの磁界が、アンテナ体６０に対して及ぼす影響を、低減することが可能となる。
特に、部分空間ＳＰａ１及び部分空間ＳＰａ２は、アンテナ体近傍空間ＳＰの中で、第２領域ＡＲ２及び第３領域ＡＲ３からの距離が最も離れた空間である。従って、部分空間ＳＰａ１または部分空間ＳＰａ２に導電線ｑを設けることで、導電線ｑがアンテナ体６０に対して及ぼす磁界の影響を最小化することができる。
すなわち、本実施形態によれば、アンテナ体６０を、表示部３０の下部に配置し、アンテナ体６０と接続部（導電線ｑ、導電性弾性体（板ばねＳ１、板ばねＳ２））が接近する場合であっても、アンテナ体６０が高い受信性能を維持することを可能とした。
【００８０】
＜２．変形例＞
本発明は、上述した実施形態に限定されるものではなく、例えば次に述べるような各種の変形が可能である。また、次に述べる変形の態様は、任意に選択された一または複数を適宜に組み合わせることもできる。
【００８１】
＜変形例１＞
上述した実施形態において、外装ケース１０は、非導電性の部材で形成されているが、非導電性部材と導電性部材とを用いて形成してもよい。この場合、外装ケース１０のうち、アンテナ体６０の近傍の部分を非導電性部材で構成し、それ以外の部分を金属等の導電性部材で構成することで、高い受信性能を維持しつつ、電子時計１００の強度を高くすることが可能となる。
また、外装ケース１０は、中空の円柱状（すなわち、筒状）の形状であってもよい。
【００８２】
＜変形例２＞
上述した実施形態及び変形例において、基板４０は、表示部３０とアンテナ体６０との間に設けられているが、アンテナ体６０を、表示部３０と基板４０との間に設けてもよい。
いずれにしても、アンテナ体６０が、平面視して、表示部３０または基板４０と重なる位置に設けられるものであればよい。
【００８３】
＜変形例３＞
上述した実施形態及び変形例において、表示部３０は液晶パネル３１によりデジタル表示を行うものであったが、文字板と指針とを備え、当該指針により時刻を表示するものであってもよい。
また、表示部３０は、液晶パネル以外のパネルを備えるものであってもよい。例えば、表示部３０は、有機ＥＬ（Organic Electro-Luminescence）パネルを備えるものであってもよいし、EPD（Electro Phoretic Display）を備えるものであってもよい。
【００８４】
＜変形例４＞
上述した実施形態及び変形例において、電子時計１００はＧＰＳ衛星２００からの衛星信号を受信するが、ＧＰＳ衛星以外の衛星を含む位置情報衛星からの衛星信号（無線信号）を受信するものであってもよい。例えば、ガリレオ（EU）、GLONASS（ロシア）、北斗（中国）などの他の全地球的航法衛星システム（GNSS）や、SBASなどの静止衛星や準天頂衛星などの時刻情報を含む衛星信号を発信する位置情報衛星からの衛星信号を受信するものであってもよい。
【００８５】
＜変形例５＞
上述した実施形態及び変形例において、電子時計１００は表示部３０に時刻等の情報を表示するが、表示部３０に時刻を表示するかわりに、時刻以外の情報を表示するモードに設定できるものであってもよい。
例えば、電子時計１００は、表示部３０に時刻を表示させるモード（時刻表示モード）と、表示部３０にある時刻からの経過時間を表示してストップウォッチとして動作するモード（クロノグラフモード）と、の２つのモードに設定しうるものであってもよい。
この場合、電子時計１００は、クロノグラフモードにおいて、位置情報衛星からの衛星信号を受信して電子時計１００の位置を計測することで、所定の位置からの電子時計１００の移動距離（すなわち、電子時計１００の利用者の走行距離）や、電子時計１００の移動速度（利用者の走行速度）等を算出したうえで、これらの情報を表示部３０に表示させるものであってもよい。
また、時刻表示モードにおいて、位置情報衛星からの衛星信号を受信せず、クロノグラフモードにおいてのみ、位置情報衛星からの衛星信号を受信するものであってもよい。
【００８６】
＜変形例６＞
上述した実施形態及び変形例において、電子時計１００は、互いに離間した導電体の組を電気的に接続する導電性弾性体及び導電線をそれぞれ複数備えるものであるが、本発明はこのような形態に限定されるものではなく、導電性弾性体または導電線のうち少なくとも一方を、少なくとも１つ備えるものであればよい。
例えば、電子時計１００は、互いに離間した導電体の組を電気的に接続する導電性弾性体を１つ備えるものであってもよい。また、例えば、電子時計１００は、互いに離間した導電体の組を電気的に接続する導電性弾性体の他に、互いに離間した導電体の組を電気的に接続する導電線を１つ備えるものであってもよい。
また、上述した実施形態において、導電性弾性体はすべて板ばねであるが、本発明はこのような形態に限定されるものではなく、コイルばね以外のものであればどのような導電性弾性体を用いるものであってもよい。
【符号の説明】
【００８７】
１０……外装ケース、１００……アンテナ内蔵式電子時計（電子時計）、１１……裏蓋、１１０……ベルト、２０……カバーガラス、２００……ＧＰＳ衛星、３０……表示部、４０……基板、４１……制御部、５０……ブザー、６０……アンテナ体、７０……二次電池、ＡＲ１……第１領域、ＡＲ２……第２領域、ＡＲ３……第３領域、ＡＲｄ１……第１表示領域、ＡＲｄ２……第２表示領域、ＡＲｄ３……第３表示領域、Ｂ……操作ボタン、ＨＢ、ＨＪ……貫通孔、Ｊ……充電端子、Ｌｎ１〜Ｌｎ６……直線、Ｐ……パッキン、ＰＬ１……第１の面、ＰＬ２……第２の面、ＳＰ……アンテナ体近傍空間、ｑ……導電線。
【図１】
0005998648.tif 000002
【図２】
0005998648.tif 000003
【図３】
0005998648.tif 000004
【図４】
0005998648.tif 000005
【図５】
0005998648.tif 000006
【図６】
0005998648.tif 000007
【図７】
0005998648.tif 000008
【図８】
0005998648.tif 000009
【図９】
0005998648.tif 000010
【図１０】
0005998648.tif 000011
【図１１】
0005998648.tif 000012
【図１２】
0005998648.tif 000013
【図１３】
0005998648.tif 000014